(57)【特許請求の範囲】
【請求項１】
導電刃受と、この導電刃受に電気的に接続され端子ネジを有する接続端子部を内部の端部方向に配設した合成樹脂製からなる本体と、この本体の導電刃受に対応するプラグ挿入穴と、前記端子ネジを有する接続端子部に対応する位置に開口が設けられこの開口に前記本体の端子ネジを有する接続端子部が臨むようにこの本体を覆って取付けられる合成樹脂製の本体カバーと、この本体カバーの上記開口を覆い外方向にスライドして取外し可能とした端子カバーとを備え、この端子カバーを取外して外部電線を端子ネジにより接続端子部に接続するコンセント。
【請求項２】
端子カバーが、一端がこの端子カバーに係止され他端を本体カバーに係止した柔軟性を有する紐により連結されてなる請求項１記載のコンセント。
【請求項３】
本体カバーが、本体の裏面側からネジにより本体に固定される請求項１又は請求項２記載のコンセント。
【発明の詳細な説明】
【０００１】
【産業上の利用分野】
本発明は、主としてキッチンユニット等の家具に組み込んで用いられるコンセントに関するものである。
【０００２】
【従来の技術】
従来より、例えば図３（ａ）に示すようなキッチンユニット等の家具においては、家具の表面側に取付けたコンセントとは別に、図３（ｂ）に示すように、この家具に装着された冷蔵庫や電気ヒータ等のプラグ差し込み用として、また、照明や換気扇等のスイッチへの分電用としてのコンセント１が、キャビネット内に組み込まれている。
従来、上記のコンセントは、図４（ａ），（ｂ）に示すように、本体３とカバー２とからなり、本体３には、カバー２に設けられたプラグ挿入穴４に合わせた導電刃受５と、外部電線との接続端子部６が配設され、本体３を造営材（取付部材）に取付けるための取付穴７が設けられている。
そして、このコンセントを造営材に取付け固定する際は、本体３とカバー２を固定しているネジ９を取外し、本体３に設けられた取付穴７から木ネジ８等で造営材に固定し、接続端子部６に外部電線１０を接続した後、カバー２を取付ける手順であり、この場合に、造営材への取付け時と外部電線１０を接続するときの２度にわたって本体３に設けられた充電部が全面露出されることになる。
【０００３】
【発明が解決しようとする課題】
従来の技術で述べたコンセントでは、造営材に固定する際と、外部電線１０を接続端子部６に接続する際とに、カバー２と本体３をその都度分解しなければならず手間がかかると共に、導電刃受５等の電気的主要部が全面露出となって、外的要因により変形、異物混入又はカバー２の工事中の落下による破損及び装着忘れ等の問題点を有していた。
【０００４】
本発明は、従来の技術が有するこのような問題点に鑑みてなされたものであり、その目的とするところは、電気的主要部が全面露出することがなく、外的要因による変形や異物混入が防止できるようにしたコンセントを提供することを目的とする。
【０００５】
【課題を解決するための手段】
上記目的を達成するために、本発明におけるコンセントは、導電刃受と、この導電刃受に電気的に接続され端子ネジを有する接続端子部を内部の端部方向に配設した合成樹脂製からなる本体と、この本体の導電刃受に対応するプラグ挿入穴と、前記端子ネジを有する接続端子部に対応する位置に開口が設けられこの開口に前記本体の端子ネジを有する接続端子部が臨むようにこの本体を覆って取付けられる合成樹脂製の本体カバーと、この本体カバーの上記開口を覆い外方向にスライドして取外し可能とした端子カバーとを備え、この端子カバーを取外して外部電線を端子ネジにより接続端子部に接続するものである。
【０００６】
【作用】
本体と本体カバー及び端子カバーの３分割にしたことにより、従来のように造営材への取付作業、外部電線の接続作業のたびに本体カバーを分離することなく、端子カバーを外すことにより接続端子部の部分のみが露出することになり、導電刃受等の電気的主要部が前面露出しない構造となる。
【０００７】
【実施例】
以下、本発明によるコンセントの一実施例について図１（ａ），（ｂ），（ｃ）及び図２（ａ），（ｂ）を用いて詳細に説明する。
図１（ａ）に示すようにコンセントは、合成樹脂製の本体１１と本体カバー１２との２分割構造となっている。本体カバー１２には、プラグ挿入穴４、造営材への取付穴１５、着脱自在に嵌合してある端子カバー１３が設置されている。
本体カバー１２と端子カバー１３の嵌合は、本体カバー１２のカバー凸部２５と端子カバー１３の端子カバー押切り凸部２６により摺動させ、図１（ｂ）に示す矢印方向に端子カバー１３を移動させることにより、本体カバー１２の嵌合開口２３と端子カバー１３の爪２２が嵌合することにより固定される。嵌合開口２３の受け部突起２０の上面は丸く面取りされている。又、端子カバー１３の爪２２の下部突起は爪２２全巾に丸く突出しており、嵌合される際に突起２１の上面を端子カバー１３の突起２０が乗り越えて突起同士の引っ掛かりで容易に抜けない構造となっている。
図１（ｃ）は端子カバー１３を取付けた状態の部分断面図である。
【０００８】
上記端子カバー１３を取り外すときは、図２（ａ）に示すように、本体カバー１２に設けてある取外し溝２４にねじ回し２７等の取外し溝２４中に合う形状の工具を差し込んで回すことにより外すことができる。このように端子カバー１３を外すことにより図２（ｂ）に示すように、本体１１に取付けてある接続端子部の端子ネジ１８が露出して外部電線１０の接続作業を行うことができるようになる。
なお、端子カバー１３は、図１（ａ）及び図２（ｂ）に示すように、一端を本体カバー１２に係止した柔軟性を有する紐１９に連結するようにすれば、粉失する心配がない。
【０００９】
又、図１（ａ）に示すように、上記コンセントは、本体１１と本体カバー１２は止めネジ１４により部組された状態のまま、図１の取付位置に固定ネジ１６により固定することができるようになっている。
【００１０】
【発明の効果】
以上説明した通り、本発明によるコンセントは、電気的主要部が前面露出することなく造営材への取付け作業及び結線作業をすることができて、異物混入、工事中のカバーの取付け忘れ、カバー落下による破損等を防止することができる。
【図面の簡単な説明】
【図１】本発明によるコンセントの一実施例を示し、（ａ）はコンセントの分解斜視図、（ｂ）は端子カバーの本体カバーへの取付状態を示す部分断面図、（ｃ）は端子カバーを本体カバーに嵌合して取付けた状態の部分断面図である。
【図２】本発明の実施例を示し、（ａ）は図１中における端子カバーの取外し作業の説明斜視図、（ｂ）はコンセントへの外部電線の結線方法を示す平面図である。
【図３】（ａ）はコンセントを組み込んだキッチンユニットの斜視図、（ｂ）はコンセント使用例を示す説明斜視図である。
【図４】（ａ）は従来におけるコンセントの分解斜視図、（ｂ）は（ａ）に示したコンセントの外部電線との結線方法を示す平面図である。
【符号の説明】
１．コンセント              ２．カバー
３．本体                    ４．プラグ挿入穴
５．導電刃受                ６．端子部（接続端子部）
７．取付穴                  ８．木ネジ
９．ネジ                  １０．外部電線
１１．本体                  １２．本体カバー
１３．端子カバー            １４．止めネジ
１５．取付穴                １６．固定ネジ
１７．導電刃受              １８．端子ネジ（接続端子部）
１９．紐                    ２０．突起
２１．突起                  ２２．爪
２３．嵌合開口              ２４．取外し溝
２５．カバー凸部            ２６．端子カバー押切り凸部
２７．ねじ回し
【図１】
0003578352.tif 000002
【図２】
0003578352.tif 000003
【図３】
0003578352.tif 000004
【図４】
0003578352.tif 000005